(57)【要約】【課題】イコライザのバンド数の変換時に、ユーザの任意調整分を含めて全帯域のレベルを適切に設定する。【解決手段】イコライザのバンド数変換装置は、あるバンド数のイコライザパラメータを、異なるバンド数のイコライザパラメータに変換する。具体的には、変換前のイコライザパラメータに基づいて、異なるバンド数の変換後のパラメータが算出される。また、変換前の全帯域レベル調整パラメータから、変換後の全帯域レベル調整パラメータを算出する。この際、まず、変換前の全帯域レベル調整パラメータから、ユーザが任意に調整した分に相当するユーザ調整量を算出するとともに、変換後のイコライザパラメータによるイコライザレベル変動量を算出する。そして、ユーザ調整量とイコライザレベル変動量に基づいて、変換後の全帯域レベル調整パラメータが決定される。【選択図】図５
2008227606.tif 000002
【特許請求の範囲】
【請求項１】
複数の周波数帯域のレベルを規定する変換前のイコライザパラメータ及び全周波数帯域のレベルを規定する変換前の全帯域レベル調整パラメータを取得する取得手段と、
前記変換前のイコライザパラメータに基づいて、異なる数の周波数帯域に対応するイコライザパラメータを算出し、変換後のイコライザパラメータとして出力するイコライザパラメータ変換手段と、
前記変換前の全帯域レベル調整パラメータから、ユーザによる全周波数帯域のレベルの調整量であるユーザ調整量を算出するユーザ調整量算出手段と、
前記変換後のイコライザパラメータによる全周波数帯域のレベルの変動量であるイコライザレベル変動量を算出する変換後イコライザレベル変動量算出手段と、
前記ユーザ調整量及び前記イコライザレベル変動量に基づいて、変換後の全帯域レベル調整パラメータを算出する全帯域レベル調整パラメータ変換手段と、を備えることを特徴とするイコライザのバンド数変換装置。
【請求項２】
前記ユーザ調整量算出手段は、
前記変換前のイコライザパラメータによる全周波数帯域のレベルの変動量である変換前イコライザレベル変動量を算出する変換前イコライザレベル変動量算出手段と、
前記変換前の全帯域レベル調整パラメータが示す全周波数帯域のレベルから、前記変換前イコライザレベル変動量を減算することにより、前記ユーザ調整量を算出する手段と、を備えることを特徴とする請求項１に記載のイコライザのバンド数変換装置。
【請求項３】
前記変換後イコライザレベル変動量算出手段は、前記変換後のイコライザパラメータを設定したイコライザに基準ノイズを入力した際の出力パワーと、全周波数帯域のレベルがフラットなイコライザに前記基準ノイズを入力した際の出力パワーとの差を前記変換後イコライザレベル変動量とすることを特徴とする請求項１又は２に記載のイコライザのバンド数変換装置。
【請求項４】
前記変換前イコライザレベル変動量算出手段は、前記変換前のイコライザパラメータを設定したイコライザに基準ノイズを入力した際の出力パワーと、全周波数帯域のレベルがフラットなイコライザに前記基準ノイズを入力した際の出力パワーとの差を前記変換前イコライザレベル変動量とすることを特徴とする請求項２に記載のイコライザのバンド数変換装置。
【請求項５】
複数の周波数帯域のレベルを規定する変換前のイコライザパラメータ及び全周波数帯域のレベルを規定する変換前の全帯域レベル調整パラメータを取得する取得工程と、
前記変換前のイコライザパラメータに基づいて、異なる数の周波数帯域に対応するイコライザパラメータを算出し、変換後のイコライザパラメータとして出力するイコライザパラメータ変換工程と、
前記変換前の全帯域レベル調整パラメータから、ユーザによる全周波数帯域のレベルの調整量であるユーザ調整量を算出するユーザ調整量算出工程と、
前記変換後のイコライザパラメータによる全周波数帯域のレベルの変動量であるイコライザレベル変動量を算出する変換後イコライザレベル変動量算出工程と、
前記ユーザ調整量及び前記イコライザレベル変動量に基づいて、変換後の全帯域レベル調整パラメータを算出する全帯域レベル調整パラメータ変換工程と、を備えることを特徴とするイコライザのバンド数変換方法。
【発明の詳細な説明】
【技術分野】
【０００１】
本発明は、例えば音声信号等の周波数特性を変化させるイコライザのバンド数を変換する手法に関する。
【背景技術】
【０００２】
コンパクトディスク（ＣＤ）やＤＶＤ（Ｄｉｇｉｔａｌ  Ｖｅｒｓａｔｉｌｅ  Ｄｉｓｃ）に記録された音楽や映画を楽しむためのオーディオシステムは、グラフィックイコライザを備えている場合が多い。グラフィックイコライザは、例えば音声信号の周波数帯域を複数の帯域に分割し、各帯域のレベルを強調（ブースト）または減衰（カット）することができる回路を備えている。グラフィックイコライザによって音声信号における各帯域のレベルを調整することにより、音声信号の周波数特性を、スピーカその他の音響機器の特性や、音楽や映画を視聴する場所の環境に合うように調整することができる。
【０００３】
また、近年普及しているマルチチャンネルサラウンドオーディオシステムは、例えば５〜８程度のチャンネルを有し、これらのチャンネルの音声出力を制御するアンプ装置と、これらのチャンネルに対応する数のスピーカを備えている。サラウンド再生を実現するためには、各スピーカを適切な位置に設置すると共に、各スピーカの特性に適合するように音声信号の音圧レベルや周波数特性を適切に設定することが要求される。そこで、かかるサラウンドオーディオシステムにおけるアンプ装置は、チャンネルごとにイコライザや増幅器を備えているものが多い。
【０００４】
さらに、かかるサラウンドオーディオシステムの中には、音声信号の音圧レベルや周波数特性をチャンネルごとに自動的に設定する自動音場補正システムを有しているものもある。すなわち、かかる自動音場補正システムは、スピーカの位置や特性およびスピーカの設置されている部屋の環境を検知・分析し、その結果に基づいて各チャンネルの音声信号に設定すべき周波数特性（目標周波数特性）を算出する。そして、その目標周波数特性に一致するように、各音声信号における各帯域のレベルを強調または減衰させ、各音声信号の周波数特性を自動的に設定する。このような周波数特性の調整手法の一例が、例えば特許文献１に記載されている。
【０００５】
ところで、イコライザのバンド数（周波数帯域の分割数）を増やすと、周波数分解能が高くなり、周波数特性調整の精度が良くなるが、製造コストが高くなる。一方、バンド数を減らすと、製造コストは安くなるが、周波数分解能が低下し、周波数特性調整の精度が落ちる。このため、比較的安価な製品などでは、多いバンド数のイコライザのパラメータにより得られる高精度の周波数特性を、それより少ないバンド数のイコライザで実現したいという要求がある。
【０００６】
複数の周波数帯域に対応するピーキングフィルタを備え、周波数分解能を切り換えることができるグラフィックイコライザ装置の例が特許文献２に記載されている。例えばこの手法により、バンド数の変換が可能である。
【０００７】
【特許文献１】特開２００４−５６５２７号公報
【特許文献２】特許３２８５４３２号公報
【発明の開示】
【発明が解決しようとする課題】
【０００８】
グラフィックイコライザにおいて、イコライザパラメータの変更は、全周波数帯域のレベルに影響を与える。即ち、各バンドのイコライザパラメータを変更し、各バンドのレベルが変更されると、それに伴って全周波数帯域のレベルが変動する。このため、グラフィックイコライザによっては、各バンド毎のレベルを規定するパラメータに加えて、全周波数帯域のレベルを規定する全帯域レベル調整用パラメータを用いて周波数特性を制御するものがある。
【０００９】
このようなグラフィックイコライザにおいてバンド数を変換する場合には、バンド数の変換前後で各バンドのパラメータにより実現される特性が一致することに加えて、変換後の各バンドのパラメータに適合するように全帯域レベル調整用のパラメータを設定する必要がある。特に、バンド数変換前の全帯域レベル調整用パラメータに、ユーザによる任意調整分が含まれている場合には、バンド数変換後の全帯域レベル調整用パラメータにもその任意調整分を反映する必要がある。
【００１０】
本発明が解決しようとする課題としては上記のものが例として挙げられる。本発明は、バンド数の変換時に、ユーザの任意調整分を含めて全帯域のレベルを適切に設定可能なイコライザのバンド数変換装置及び方法を提供することを目的とする。
【課題を解決するための手段】
【００１１】
請求項１に記載の発明は、イコライザのバンド数変換装置であって、複数の周波数帯域のレベルを規定する変換前のイコライザパラメータ及び全周波数帯域のレベルを規定する変換前の全帯域レベル調整パラメータを取得する取得手段と、前記変換前のイコライザパラメータに基づいて、異なる数の周波数帯域に対応するイコライザパラメータを算出し、変換後のイコライザパラメータとして出力するイコライザパラメータ変換手段と、前記変換前のイコライザパラメータと前記変換前の全帯域レベル調整パラメータから、ユーザによる全周波数帯域のレベルの調整量であるユーザ調整量を算出するユーザ調整量算出手段と、前記変換後のイコライザパラメータと前記ユーザ調整量に基づいて、変換後の全帯域レベル調整パラメータを算出する全帯域レベル調整パラメータ変換手段と、を備えることを特徴とする。
【００１２】
請求項５に記載の発明は、イコライザのバンド数変換方法であって、複数の周波数帯域のレベルを規定する変換前のイコライザパラメータ及び全周波数帯域のレベルを規定する変換前の全帯域レベル調整パラメータを取得する取得工程と、前記変換前のイコライザパラメータに基づいて、異なる数の周波数帯域に対応するイコライザパラメータを算出し、変換後のイコライザパラメータとして出力するイコライザパラメータ変換工程と、前記変換前のイコライザパラメータと前記変換前の全帯域レベル調整パラメータから、ユーザによる全周波数帯域のレベルの調整量であるユーザ調整量を算出するユーザ調整量算出工程と、前記変換後のイコライザパラメータと前記ユーザ調整量に基づいて、変換後の全帯域レベル調整パラメータを算出する全帯域レベル調整パラメータ変換工程と、を備えることを特徴とする。
【発明を実施するための最良の形態】
【００１３】
本発明の１つの観点では、イコライザのバンド数変換装置は、複数の周波数帯域のレベルを規定する変換前のイコライザパラメータ及び全周波数帯域のレベルを規定する変換前の全帯域レベル調整パラメータを取得する取得手段と、前記変換前のイコライザパラメータに基づいて、異なる数の周波数帯域に対応するイコライザパラメータを算出し、変換後のイコライザパラメータとして出力するイコライザパラメータ変換手段と、前記変換前の全帯域レベル調整パラメータから、ユーザによる全周波数帯域のレベルの調整量であるユーザ調整量を算出するユーザ調整量算出手段と、前記変換後のイコライザパラメータによる全周波数帯域のレベルの変動量であるイコライザレベル変動量を算出する変換後イコライザレベル変動量算出手段と、前記ユーザ調整量及び前記イコライザレベル変動量に基づいて、変換後の全帯域レベル調整パラメータを算出する全帯域レベル調整パラメータ変換手段と、を備える。
【００１４】
上記のイコライザのバンド数変換装置は、ある周波数帯域（バンド）数のイコライザパラメータを、異なるバンド数のイコライザパラメータに変換する。具体的には、変換前のイコライザパラメータに基づいて、異なるバンド数の変換後のパラメータが算出される。また、変換前の全帯域レベル調整パラメータから、変換後の全帯域レベル調整パラメータを算出する。この際、まず、変換前の全帯域レベル調整パラメータから、ユーザが任意に調整した分に相当するユーザ調整量を算出するとともに、変換後のイコライザパラメータによるイコライザレベル変動量を算出する。そして、ユーザ調整量とイコライザレベル変動量に基づいて、変換後の全帯域レベル調整パラメータが決定される。これにより、変換前にユーザが任意に調整した分のレベルを、バンド数変換後の全帯域レベルに反映することができる。
【００１５】
上記のイコライザのバンド数変換装置の一態様では、前記ユーザ調整量算出手段は、前記変換前のイコライザパラメータによる全周波数帯域のレベルの変動量である変換前イコライザレベル変動量を算出する変換前イコライザレベル変動量算出手段と、前記変換前の全帯域レベル調整パラメータが示す全周波数帯域のレベルから、前記変換前イコライザレベル変動量を減算することにより、前記ユーザ調整量を算出する手段と、を備える。この態様では、バンド数変換前の全帯域レベル調整パラメータから、変換前のイコライザレベル変動量を減算することにより、ユーザ調整量を決定する。
【００１６】
好適な例では、前記変換後イコライザレベル変動量算出手段は、前記変換後のイコライザパラメータを設定したイコライザに基準ノイズを入力した際の出力パワーと、全周波数帯域のレベルがフラットなイコライザに前記基準ノイズを入力した際の出力パワーとの差を前記変換後イコライザレベル変動量とする。
【００１７】
他の好適な例では、前記変換前イコライザレベル変動量算出手段は、前記変換前のイコライザパラメータを設定したイコライザに基準ノイズを入力した際の出力パワーと、全周波数帯域のレベルがフラットなイコライザに前記基準ノイズを入力した際の出力パワーとの差を前記変換前イコライザレベル変動量とする。
【００１８】
本発明の他の観点では、イコライザのバンド数変換方法は、複数の周波数帯域のレベルを規定する変換前のイコライザパラメータ及び全周波数帯域のレベルを規定する変換前の全帯域レベル調整パラメータを取得する取得工程と、前記変換前のイコライザパラメータに基づいて、異なる数の周波数帯域に対応するイコライザパラメータを算出し、変換後のイコライザパラメータとして出力するイコライザパラメータ変換工程と、前記変換前の全帯域レベル調整パラメータから、ユーザによる全周波数帯域のレベルの調整量であるユーザ調整量を算出するユーザ調整量算出工程と、前記変換後のイコライザパラメータによる全周波数帯域のレベルの変動量であるイコライザレベル変動量を算出する変換後イコライザレベル変動量算出工程と、前記ユーザ調整量及び前記イコライザレベル変動量に基づいて、変換後の全帯域レベル調整パラメータを算出する全帯域レベル調整パラメータ変換工程と、を備える。
【実施例】
【００１９】
［基本実施例］
まず、本発明によるイコライザの周波数帯域（「バンド」とも呼ぶ。）数変換の基本的な実施例について説明する。以下、例として、９バンドのイコライザパラメータを用いて、５バンドのイコライザパラメータを作成する場合について説明する。
【００２０】
図１（Ａ）に、９バンドのイコライザ特性の例を示す。図示のように、９個のバンドの各中心周波数は、６３Ｈｚ、１２５Ｈｚ、２５０Ｈｚ、５００Ｈｚ、１ｋＨｚ、２ｋＨｚ、４ｋＨｚ、８ｋＨｚ及び１６ｋＨｚとなっている。各バンド毎のイコライザパラメータにより規定されるレベルＬ９１〜Ｌ９９が、各バンドに対応する棒グラフで示されている。このイコライザ特性は、さらに全周波数帯域のレベル（「全帯域レベル」とも呼ぶ。）Ｌ９Ｗを含んでいる。全帯域レベルＬ９Ｗは、全帯域レベル調整パラメータにより規定される。即ち、このイコライザ特性は、全帯域レベル調整パラメータにより規定される全帯域レベルＬ９Ｗと、各バンドのイコライザパラメータにより規定されるレベルＬ９１〜Ｌ９９により規定されている。
【００２１】
図１（Ａ）において、グラフ２０１は、図示の９バンドのイコライザパラメータ及び全帯域レベル調整パラメータにより規定される周波数特性を示している。９バンドのイコライザパラメータは、９バンドのイコライザを用いた自動音場測定処理により得ることができる。自動音場測定処理とは、リスニングルームなどの音場にマイク及び複数のスピーカを設置し、所定の測定用信号をスピーカから出力するとともにマイクで集音して、当該音場の特性を測定する処理である。
【００２２】
いま、この９バンドのイコライザパラメータによる周波数特性２０１を、装置のハードウェア上の制約などの理由により、５バンドのイコライザで実現すると仮定する。詳細は後述するが、５バンドのイコライザを用いる場合、実質的に６バンド分のイコライザを実現することができる。即ち、６バンドのうち１つのバンドを基準バンドとしてそのレベルを０ｄＢとし、他の残りの５バンドのイコライザパラメータを基準バンドとの相対レベルに基づいて設定することにより、５バンドのイコライザで実質的に６バンド分の周波数特性を制御することができる。従って、以下、６バンドの分析について説明する。
【００２３】
この場合、６バンドのイコライザ特性の例を図１（Ｂ）に示す。この例では、６個のバンドの中心周波数は、６３Ｈｚ、１２５Ｈｚ、２５０Ｈｚ、１ｋＨｚ、４ｋＨｚ及び１１．３ｋＨｚとなっており、各バンドのレベルはＬ５１〜Ｌ５６となっている。また、全帯域レベル調整パラメータにより規定されるレベルはＬ５Ｗとなっている。このように、少ないバンド数のイコライザでも、各バンドのイコライザパラメータを適切に設定することにより、９バンドのイコライザで得られた周波数特性２０１を忠実に実現することができる。本発明では、このように、あるバンド数のイコライザパラメータにより得られた周波数特性を、それとは異なるバンド数のイコライザで実現する際に、全帯域レベルの調整を適切に行う。具体的に、上記の例では、図１（Ａ）に示す９バンドのイコライザパラメータ及び全帯域レベル調整パラメータに基づいて、図１（Ｂ）に示す５バンドのイコライザパラメータ及び全帯域レベル調整パラメータを算出する。
【００２４】
図２は、本発明によるイコライザのバンド数変換処理を概略的に示すブロック図である。いま、バンド数変換を行う際の前提として、９バンドのイコライザパラメータが既に取得されているものとする。基本的に、バンド数変換処理は、９バンドのイコライザパラメータに基づいて周波数特性を決定する第１のステップと、得られた周波数特性を実現するように、５バンドのイコライザパラメータを決定する第２のステップと、全帯域レベル調整パラメータを変換する第３のステップと、を備える。
【００２５】
図２（Ａ）に第１のステップのための構成を概略的に示す。９バンドイコライザ１１１には、上記のように、予め取得された９バンドのイコライザパラメータが設定されている。これに対し、ピンクノイズ発生器１１０は、測定用信号としてのピンクノイズを生成し、９バンドイコライザ１１１に供給する。これにより、９バンドイコライザ１１１からの出力信号は、９バンドのイコライザパラメータにより規定される周波数特性を有するものとなる。
【００２６】
次に、６バンド分析部１１２は、９バンドイコライザ１１１の出力信号を、９バンドより少ない６バンドで分析する。この場合の６バンドは、例えば図１（Ｂ）に示す６バンドとすることができる。そして、６バンド分析部１１２は、９バンドイコライザ１１１からの出力信号の各バンド毎のレベルを、分析レベル値として出力する。この分析レベル値は、第２のステップにおける５バンドのイコライザパラメータ調整の目標値となる。こうして、分析レベル値が得られると、第２のステップへ進む。
【００２７】
図２（Ｂ）は第２のステップのための構成を概略的に示す。ここで、第１のステップで得られた分析レベル値は、５バンドパラメータ設定部１２３へ目標値として入力されている。第２のステップは、図２（Ｂ）における５バンドイコライザ１２１のイコライザパラメータを設定する処理である。即ち、第１のステップで得られた、９バンドイコライザに基づく周波数特性の分析レベル値を目標値として、それと同じ周波数特性が得られるように５バンドイコライザ１２１のパラメータを設定するのである。
【００２８】
具体的には、まず、ピンクノイズ発生器１２０は測定用信号としてのピンクノイズを５バンドイコライザ１２１へ入力する。５バンドイコライザ１２１において、最初は各バンドのイコライザパラメータは初期値に設定されている。よって、５バンドイコライザ１２１は、入力されたピンクノイズを、初期値に対応する特性で処理し、出力信号を６バンド分析部１２２へ供給する。
【００２９】
６バンド分析部１２２は、５バンドイコライザ１２１の出力信号を６バンドで分析する。この６バンドは、例えば図１（Ｂ）に示す６バンドとする。６バンドの分析結果の一例を図３（Ａ）に示す。各バンド毎に信号レベルが決定されている。６バンドの分析結果は、５バンドパラメータ設定部１２３へ送られる。
【００３０】
５バンドパラメータ設定部１２３は、６バンドの分析結果に基づいて、５バンドのイコライザパラメータを決定する。具体的には、分析結果として得られる６バンド分のレベルのうち、１つのバンドを基準バンドとし、基準バンドのイコライザのレベルを０ｄＢとする。そして、残りの５バンドについて、各々のレベルに対応するイコライザパラメータを設定する。
【００３１】
これについて、詳しく説明する。いま、６バンド分析部１２２から出力される６バンドの分析結果が図３（Ａ）に示すものとする。５バンドパラメータ設定部１２３は、６バンドの分析結果、即ち６バンドの各レベルのうち、０ｄＢに最も近いレベルを有するバンドを「基準バンド」とし、基準バンドの相対レベルを０ｄＢに設定する。そして、他の５バンドについては、各バンドのレベルから基準バンドのレベルを減算したものを各バンドの相対レベルとする。図３（Ａ）の例から算出した各バンドの相対レベルを図３（Ｂ）に示す。
【００３２】
そして、５バンドパラメータ設定部１２３は、相対レベルに基づいて、５バンドのイコライザパラメータを設定する。上記のように、基準バンドは、その相対レベルを０ｄＢとすることにより、イコライザパラメータを不要とすることができる。よって、５バンドパラメータ設定部１２３は、基準バンド（本例では中心周波数４ｋＨｚのバンド）を除く５つのバンドについて、それぞれ相対レベルに対応するパラメータを設定する。こうして、５つのイコライザを用いて、実質的に６バンド分の周波数特性の調整を行うことができる。
【００３３】
こうして設定された５バンド分のイコライザパラメータは、５バンドイコライザ１２１に設定される。そして、再度ピンクノイズ発生器１２０からピンクノイズが供給され、５バンドイコライザ１２１は設定されたパラメータに対応する周波数特性を有する出力信号を６バンド分析部１２２へ供給する。そして、６バンド分析部１２２はその周波数特性を分析し、５バンドパラメータ設定部１２３は分析結果を用いて再度５バンドのイコライザパラメータを設定する。この処理を、所定回数であるＸ回実行し、５バンドのイコライザパラメータが得られる。
【００３４】
なお、このように処理を所定回数繰り返す間に、５バンドパラメータ設定部１２３により決定される基準バンドは常に同一のバンドであるとは限らない。例えば、初期設定による５バンドイコライザ１１１の設定によれば基準バンドが中心周波数４Ｈｚのバンドであったとしても、その後のパラメータの再設定により、６バンド分析部１２２による分析結果において最も０ｄＢに近いレベルを有するバンドが他のバンドとなれば、そのバンドが基準バンドとなって、新たに５バンドのイコライザパラメータが設定されることになる。
【００３５】
次に、第３のステップとして、全帯域レベル調整パラメータの変換が実行される。図４は、図１（Ａ）に示すイコライザ特性における全帯域レベルの詳細を示している。図示のように、全帯域レベル調整パラメータにより規定される全帯域レベルＬ９Ｗは、イコライザ（ＥＱ）レベル変動量Ｌ９ＷＢと、ユーザ調整量Ｌ９ＷＵとを含んでいる。ここで、「イコライザレベル変動量」とは、複数バンドのイコライザによる全帯域レベルの変動分である。例えば、まず全帯域レベルを０ｄＢとして周波数特性をフラットにした後、複数バンドのイコライザのパラメータを変更して任意の特性を設定した場合、イコライザパラメータの変更により各バンドのレベルが変化することに起因して、全帯域レベルが変動する。図４の例で言えば、イコライザレベル変動量Ｌ９ＷＢは、９バンドのイコライザパラメータの設定による９バンドのレベルＬ９１〜Ｌ９９により生じる全帯域レベルの変動分に相当する。即ち、９バンドのレベルがＬ９１〜Ｌ９９に設定されたことにより、本来は０ｄＢでフラットであった特性が変動した分である。
【００３６】
一方、「ユーザ調整量」とは、ユーザが入力装置などを操作して全帯域レベルを変更した分である。即ち、ユーザ調整量は、ユーザが好みの特性を得るために全帯域レベルを調整した調整量である。よって、全帯域レベルは、ユーザが任意の調整を行わず、ユーザ調整量がゼロである場合には、イコライザレベル変動量と一致する。
【００３７】
さて、上記のようにバンド数変換を行うと、変換後のバンド数のイコライザパラメータが得られる。上記の例では、９バンドから５バンドへのバンド数変換により、５バンドのイコライザパラメータが決定される。ここで、変換後の５バンドのイコライザパラメータによるイコライザレベル変動量は、変換前の９バンドのイコライザパラメータによるイコライザレベル変動量とは当然に異なる。そこで、本発明では、変換後のイコライザレベル変動量と、変換前のユーザ調整量とに基づいて、変換後の全帯域レベルを決定する。
【００３８】
図５は、バンド数変換前後の全帯域レベルの関係を模式的に示す。図５に示すように、変換前の９バンドのイコライザ特性における全帯域レベルＰＥは、変換前の９バンドのイコライザレベル変動量ＰＣと、ユーザ調整量ＰＦの和である。よって、変換前の９バンドのイコライザレベル変動量ＰＣを計算し、変換前の全帯域レベルＰＥから減算すれば、ユーザ調整量ＰＦが得られる。
【００３９】
一方、バンド数変換により５バンドのイコライザパラメータが得られるので、変換後の５バンドのイコライザレベル変動量ＰＤを計算することができる。よって、変換後のイコライザレベル変動量ＰＤに、ユーザ調整量ＰＦを加算することにより、変換後の全帯域レベルＰＧを得ることができる。変換後の全帯域レベル調整パラメータは、変換後の全帯域レベルＰＧを示すものとなる。図５から明らかなように、この全帯域レベル調整パラメータは、ユーザが好みによって調整した分であるユーザ調整量を含んでいる。よって、本実施例によるバンド数変換によれば、各バンドのレベルを適切に変換するのみならず、変換前後における全帯域レベルも適切に設定することができる。特に、変換前にユーザが任意に全帯域レベルを調整している場合には、その調整分を変換後の全帯域レベルに正確に反映することができる。
【００４０】
［実施例］
次に、本発明に係るイコライザバンド数変換装置の好適な実施例について説明する。以下の実施例は、本発明のイコライザバンド数変換装置を、マルチチャンネルオーディオシステムにおけるマルチチャンネルアンプ装置（以下、単に「アンプ装置」と呼ぶ。）に適用した例である。
【００４１】
まず、マルチチャンネルオーディオシステムの構成について図６および図７を参照して説明する。
【００４２】
図６はマルチチャンネルオーディオシステムの構成およびアンプ装置の構成を示している。図７はマルチチャンネルオーディオシステムにおけるスピーカおよびマイクの配置を示している。
【００４３】
マルチチャンネルオーディオシステム１は、例えば５．１サラウンドのマルチチャンネル再生を実現することができるオーディオシステムである。図６に示すように、マルチチャンネルオーディオシステム１は、ＤＶＤプレーヤ２、アンプ装置３、例えば６個のスピーカ４Ａ〜４Ｆ、およびマイク５を備えている。
【００４４】
ＤＶＤプレーヤ２は、ＤＶＤに記録された音声データを再生し、音声データに対応する音声信号ＳＡ〜ＳＦを出力する情報再生装置である。ＤＶＤプレーヤ２は、マルチチャンネル再生に対応している。したがって、マルチチャンネル再生に対応した音声データがＤＶＤに記録されているときには、ＤＶＤプレーヤ２は例えば６チャンネルの音声信号ＳＡ〜ＳＦを出力する。なお、ＤＶＤプレーヤ２から出力される音声信号ＳＡ〜ＳＦは、アナログ信号でもデジタル信号でもよいが、本実施例におけるＤＶＤプレーヤ２はデジタル信号の音声信号ＳＡ〜ＳＦを出力するものとする。
【００４５】
アンプ装置３は、マルチチャンネル対応の音声出力制御装置である。アンプ装置３は、ＤＶＤプレーヤ２から出力された６チャンネルの音声信号ＳＡ〜ＳＦを受け取り、これら音声信号ＳＡ〜ＳＦの周波数特性、遅延特性および音圧レベル等を調整し、さらに、これら音声信号ＳＡ〜ＳＦをチャンネルごとに６個のスピーカ４Ａ〜４Ｆに分配して出力する。また、アンプ装置３は、自動音場補正処理を行う機能を有している。自動音場補正処理とは、各チャンネルの音声信号ＳＡ〜ＳＦの周波数特性、遅延特性および音圧レベルを自動的に設定する機能である。
【００４６】
アンプ装置３には６個のスピーカ４Ａ〜４Ｆが接続されている。６個のスピーカ４Ａ〜４Ｆは、具体的には、左側フロントスピーカ４Ａ、右側フロントスピーカ４Ｂ、センタスピーカ４Ｃ、サブウーファー４Ｄ、左側リアスピーカ４Ｅ、右側リアスピーカ４Ｆである。これらのスピーカ４Ａ〜４Ｆは、図７に示すように配置されている。スピーカ４Ａ〜４Ｆをこのように配置することにより、サラウンド再生を実現することができる。
【００４７】
また、図６に示すように、アンプ装置３にはマイク５が接続されている。マイク５は、アンプ装置３が自動音場補正処理を行うときに用いられるものである。マイク５は、図７に示すように、自動音場補正処理を行うときには、各スピーカ４Ａ〜４Ｆの配置された領域の中央に置かれる。
【００４８】
次に、アンプ装置３の構成について図６を参照して説明する。図６に示すように、アンプ装置３は、信号処理ユニット１１、測定用信号発生器１２、６個のＤ／Ａ（デジタル／アナログ）変換器１３Ａ〜１３Ｆ、６個の可変増幅器１４Ａ〜１４Ｆ、増幅器１５、およびＡ／Ｄ（アナログ／デジタル）変換器１６を備えている。
【００４９】
信号処理ユニット１１は、ＤＶＤプレーヤ２からアンプ装置３に入力された音声信号ＳＡ〜ＳＦの周波数特性、遅延特性および音圧レベルを設定・調整する回路群である。
【００５０】
測定用信号発生器１２は、自動音場補正処理を実行するときに用いられるものである。自動音声補正処理を行うとき、測定信号発生器１２は、測定用信号ＳＮ１〜ＳＮ３を生成し、これを信号処理ユニット１１に出力する。なお、測定用信号ＳＮ１〜ＳＮ３は、例えばピンクノイズである。
【００５１】
Ｄ／Ａ変換器１３Ａ〜１３Ｆは、信号処理ユニット１１から出力された音声信号ＳＡ〜ＳＦ（デジタル信号）をアナログ信号にそれぞれ変換する回路である。
【００５２】
可変増幅器１４Ａ〜１４Ｆは、Ｄ／Ａ変換器１３Ａ〜１３Ｆから出力された音声信号ＳＡ〜ＳＦを増幅する回路である。可変増幅器１４Ａ〜１４Ｆの増幅率は、信号処理ユニット１１内の制御部２２に設けられた増幅制御部７３から出力される増幅制御信号ＡＡ〜ＡＦによって制御される。
【００５３】
増幅器１５は、自動音場補正処理を行うときに、マイク５から出力される集音信号を増幅する回路である。
【００５４】
Ａ／Ｄ変換器１６は、自動音場補正処理を行うときに、マイク５から出力され、増幅器１５によって増幅された集音信号（アナログ信号）をデジタル信号に変換し、これを集音信号ＳＴとして信号処理ユニット１１に供給する回路である。
【００５５】
次に、信号処理ユニット１１の構成について図８〜図１０を参照して説明する。
【００５６】
図８は信号処理ユニット１１の構成を示している。図８に示すように、信号処理ユニット１１は、信号処理部２１および制御部２２を備えている。
【００５７】
信号処理部２１は、ＤＶＤプレーヤ２からアンプ装置３に出力された音声信号ＳＡ〜ＳＦの周波数特性および遅延特性を設定・調整する回路群である。信号処理部２１は、６個のスイッチ３１Ａ〜３１Ｆ、６個のイコライザ３２Ａ〜３２Ｆ、および６個の遅延回路３３Ａ〜３３Ｆを備えている。
【００５８】
スイッチ３１Ａ〜３１Ｆは、信号処理部２１に入力すべき信号を、ＤＶＤプレーヤ２から出力された音声信号ＳＡ〜ＳＦとするか、測定用信号発生器１２から出力された測定用信号ＳＮ１〜ＳＮ３とするかを選択するためのスイッチである。自動音場補正処理を行うときには、スイッチ３１Ａ〜３１Ｆにおける図８中の上側に位置する入力端子と出力端子とを接続する。これにより、測定用信号ＳＮ１〜ＳＮ３が信号処理部２１に供給される。一方、ＤＶＤを再生するときには、スイッチ３１Ａ〜３１Ｆにおける図８中の下側に位置する入力端子と出力端子とを接続する。これにより、音声信号ＳＡ〜ＳＦが信号処理部２１に供給される。スイッチ３１Ａ〜３１Ｆの切換は、制御部２２に設けられたメインコントローラ７４によって制御される。
【００５９】
イコライザ３２Ａ〜３２Ｆは、音声信号ＳＡ〜ＳＦの周波数特性をそれぞれ設定する回路である。イコライザ３２Ａ〜３２Ｆは、制御部２２に設けられた周波数特性制御部７１から出力されるレベル制御信号ＬＡ〜ＬＦによってそれぞれ制御される。
【００６０】
図９は、６個のイコライザ３２Ａ〜３２Ｆのうちの１個であるイコライザ３２Ａの構成を示している。図９に示すように、イコライザ３２Ａは、６個のバンドパスフィルタ４１〜４６、６個のレベル設定部５１〜５６、および合成器６１を備えている。なお、図９のイコライザ３２Ａは６個のバンドバスフィルタ４１〜４６を備えているが、そのうちの１つは基準バンドに設定され、レベルが０ｄＢとされる一方、他の５つのバンドは基準バンドのレベルに対する相対レベルが設定される。よって、６バンドからなる周波数特性を規定するが、イコライザのパラメータ自体は５つで良いため、「５バンドのイコライザ」と呼ぶこととする。
【００６１】
バンドパスフィルタ４１〜４６のそれぞれは、音声信号ＳＡにおける所定の周波数成分のみを通過させ、他の周波数成分を遮断するフィルタ回路である。具体的には、バンドパスフィルタ４１は、音声信号ＳＡにおける１１．３ｋＨｚ付近の周波数成分のみを通過させる。バンドパスフィルタ４２は、音声信号ＳＡにおける４ｋＨｚ付近の周波数成分のみを通過させる。バンドパスフィルタ４３は、音声信号ＳＡにおける２５０Ｈｚ付近の周波数成分のみを通過させる。バンドパスフィルタ４４は、音声信号ＳＡにおける１２５Ｈｚ付近の周波数成分のみを通過させる。バンドパスフィルタ４５は、音声信号ＳＡにおける６３Ｈｚ付近の周波数成分のみを通過させる。バンドパスフィルタ４６は、音声信号ＳＡにおける５００Ｈｚ〜２ｋＨｚ付近（中心周波数は１ｋＨｚ）の周波数成分のみを通過させる。
【００６２】
レベル設定部５１〜５６は、バンドパスフィルタ４１〜４６を通過した音声信号ＳＡの周波数成分のレベルを実際に設定する回路である。レベル設定部５１〜５６は、周波数特性制御部７１から出力されるレベル制御信号ＬＡ１〜ＬＡ６（これらの信号はレベル制御信号ＬＡに含まれている）によってそれぞれ制御される。具体的には、レベル設定部５１〜５６によって音声信号ＳＡのそれぞれの周波数成分に設定すべきレベルは、レベル制御信号ＬＡ１〜ＬＡ６によって定められる。このレベル制御信号ＬＡ１〜ＬＡ６に基づいてレベル設定部５１〜５６に設定されるレベル制御値は、各バンドのイコライザパラメータに相当する。
【００６３】
合成器６１は、レベル設定部５１〜５６から出力された音声信号ＳＡのそれぞれの周波数成分を合成する回路である。合成器６１により合成された音声信号ＳＡは、遅延回路３３Ａ（図８参照）に出力される。
【００６４】
図９に示すように、バンドパスフィルタ４１〜４６の後段にはレベル設定部５１〜５６が設けられている。したがって、バンドパスフィルタ４１〜４６によって分割された音声信号ＳＡのそれぞれの周波数成分は、レベル設定部５１〜５６によってそれぞれのレベルがレベル制御信号ＬＡ１〜ＬＡ６に基づいて変更された後に、合成器６１に供給される。
【００６５】
以上、図９に基づいてイコライザ３２Ａについて説明したが、イコライザ３２Ｂ〜３２Ｆも同様の構成を有する。
【００６６】
図８に戻り、遅延回路３３Ａ〜３３Ｆは、イコライザ３２Ａ〜３２Ｆから出力された音声信号ＳＡ〜ＳＦの遅延特性をそれぞれ調整する回路である。遅延回路３３Ａ〜３３Ｆは、制御部２２に設けられた遅延制御部７２から出力される遅延制御信号ＤＡ〜ＤＦによってそれぞれ制御され、遅延後の出力信号ＳＩＡ〜ＳＩＦを出力する。
【００６７】
一方、制御部２２は、主として自動音場補正処理の制御を行う回路群である。具体的には、制御部２２は、自動音場補正処理において、音声信号ＳＡ〜ＳＦに設定すべき周波数特性（各周波数成分におけるレベル）、遅延特性（遅延量）および音圧レベル（増幅率）を算定し、これら算定結果に基づいて信号処理部２１のイコライザ３２Ａ〜３２Ｆ、遅延回路３３Ａ〜３３Ｆおよび可変増幅器１４Ａ〜１４Ｆを制御する。図８に示すように、制御部２２は、周波数特性制御部７１、遅延制御部７２、増幅制御部７３およびメインコントローラ７４を備えている。
【００６８】
図１０は周波数特性制御部７１の構成を示している。周波数特性制御部７１は、音声信号ＳＡ〜ＳＦに設定すべき周波数特性を算定し、この算定結果に基づいて信号処理部２１のイコライザ３２Ａ〜３２Ｆを制御する回路群である。図１０に示すように、周波数特性制御部７１は、バンドパスフィルタユニット８１および周波数特性演算部８２を備えている。
【００６９】
バンドバスフィルタユニット８１は、集音信号ＳＴを６個の帯域に分割する回路である。自動音場補正処理が行われるとき、バンドバスフィルタユニット８１には、マイク５、増幅器１５およびＡ／Ｄ変換器１６を介して信号処理ユニット１１に供給された集音信号ＳＴ（図６参照）が入力される。バンドパスフィルタユニット８１には、中心周波数が例えば６３Ｈｚ、１２５Ｈｚ、２５０Ｈｚ、１ｋＨｚ、４ｋＨｚ、１１．３ｋＨｚにそれぞれ設定された６個のバンドパスフィルタ（図示せず）が設けられている。バンドパスフィルタユニット８１に入力された集音信号ＳＴは、これら６個のバンドパスフィルタによって６個の周波数成分に分割され、周波数特性演算部８２に出力される。
【００７０】
一方、本発明に係るイコライザバンド数変換処理が行われるとき、バンドバスフィルタユニット８１には、集音信号ＳＴの代わりに、遅延回路３３Ａ〜３３Ｆからの出力信号ＳＩＡ〜ＳＩＦが入力される。すなわち、イコライザバンド数変換処理においては、各チャンネルの信号ＳＩＡ〜ＳＩＦは信号処理ユニット１１内で周波数特性制御部７１へ供給される。このため、イコライザバンド数変換処理においては、音声信号はスピーカ４Ａ〜４Ｆから出力されることはなく、図６に示すＤ／Ａ変換器１３Ａ〜１３Ｆ、可変増幅器１４Ａ〜１４Ｆ、スピーカ４Ａ〜４Ｆ、マイク５、増幅器１５及びＡ／Ｄ変換器１６は不要となる。
【００７１】
周波数特性演算部８２は、音声信号ＳＡ〜ＳＦに設定すべき周波数特性を実際に算定する回路である。周波数特性演算部８２は、例えば演算処理用のＭＰＵ、演算処理に用いられる係数テーブルなどを記憶したメモリなど（いずれも図示せず）を備えている。具体的には、自動音場補正処理を行うときは、周波数特性演算部８２は、バンドパスフィルタユニット８１から出力された集音信号ＳＴの各周波数成分を用いて、イコライザ３２Ａ〜３２Ｆを制御するためのレベル制御信号ＬＡ〜ＬＦを生成し、これらをイコライザ３２Ａ〜３２Ｆに出力する。
【００７２】
一方、本発明によるイコライザバンド数変換処理を行うときは、周波数特性演算部８２は、遅延回路３３Ａ〜３３Ｆから入力された信号ＳＩＡ〜ＳＩＦの各周波数成分を用いて、イコライザ３２Ａ〜３２Ｆを制御するためのレベル制御信号ＬＡ〜ＬＦを生成し、これらをイコライザ３２Ａ〜３２Ｆに出力する。具体的には、遅延回路３３Ａから入力された信号ＳＩＡをバンドパスフィルタユニット８１が６個の帯域に分割する。そして、周波数特性演算部８２は、９バンドイコライザの周波数特性に基づいて得られた分析レベル値（目標値）と一致するように、レベル制御信号ＬＡ１〜ＬＡ６を生成し、イコライザ３２Ａに供給する。
【００７３】
図８に戻り、遅延制御部７２は、音声信号ＳＡ〜ＳＦに設定すべき遅延特性（遅延量）を算定し、この算定結果に基づいて信号処理部２１の遅延回路３３Ａ〜３３Ｆを制御する回路群である。具体的には、遅延制御部７２は、集音信号ＳＴを用いて、遅延回路３３Ａ〜３３Ｆを制御するための遅延制御信号ＤＡ〜ＤＦを生成し、これらを遅延回路３３Ａ〜３３Ｆに出力する。
【００７４】
増幅制御部７３は、音声信号ＳＡ〜ＳＦに設定すべき音圧レベル（増幅率）を算定し、この算定結果に基づいて可変増幅器１４Ａ〜１４Ｆ（図６参照）を制御する回路群である。具体的には、増幅制御部７３は、集音信号ＳＴを用いて、可変増幅器１４Ａ〜１４Ｆを制御するための増幅制御信号ＡＡ〜ＡＦを生成し、これらを可変増幅器１４Ａ〜１４Ｆに出力する。
【００７５】
メインコントローラ７４は、周波数特性制御部７１、遅延制御部７２および増幅制御部７３の制御、並びに信号処理部２１のスイッチ３１Ａ〜３１Ｆの切換制御などを行う。メインコントローラ７４は、ＣＰＵ、ＲＯＭおよびＲＡＭ等の演算回路および記憶回路を備えている。
【００７６】
次に、上記のマルチチャンネルアンプ装置におけるイコライザバンド数変換処理について説明する。なお、イコライザバンド数変換処理は、測定用信号発生器１２からの測定用信号を利用して、信号処理ユニット１１内部で実行される。図１１はイコライザバンド数変換処理のフローチャートである。この処理の前提として、９バンドのイコライザパラメータが既に取得されているものとする。また、以下の処理は、各チャンネルの信号について別個に実行される。
【００７７】
まず、既に取得されている９バンドのイコライザパラメータがイコライザ３２に設定される（ステップＳ１０１）。なお、図９に示すように、本実施例では各チャンネルのイコライザ３２Ａ〜３２Ｆはそれぞれ６個のバンドパスフィルタしか備えていない。このような場合には、１つのチャンネルの処理において、２つのイコライザ同時に使用することにより、９バンドのイコライザを構成することができる。以下の説明では、イコライザ３２Ａ及び３２Ｂを用いて９バンドのイコライザを構成するものとする。即ち、イコライザ３２Ａ及び３２Ｂの合計１２個の帯域のうち９帯域を用いて９バンドイコライザを構成するものとする。この場合、周波数特性制御部７１は、既に取得されているイコライザパラメータに基づいて、レベル制御信号ＬＡ１〜ＬＡ６などを生成し、各バンドのレベル制御部５１〜５６などへ供給する。
【００７８】
こうして、９バンドのイコライザに対してイコライザパラメータが設定されると、次に、測定用信号発生部１２から測定用信号としてのピンクノイズが生成され、スイッチ３１Ａ及び３１Ｂを介して、９バンドイコライザを構成するイコライザ３２Ａ及び３２Ｂに供給される。イコライザ３２Ａ及び３２Ｂにより構成される９バンドイコライザは、設定されたレベルに応じてバンド毎にピンクノイズのレベルを制御し、制御後の信号を遅延回路３３Ａ及び３３Ｂに供給する（ステップＳ１０２）。なお、イコライザバンド数変換処理では遅延回路による遅延は不要であるので、実際には遅延回路３３Ａ及び３３Ｂは入力信号をそのまま信号ＳＩＡ及びＳＩＢとして出力する。
【００７９】
信号ＳＩＡ及びＳＩＢは合成器３５により合成され、合成信号Ｓ９が集音信号ＳＴの代わりに周波数特性制御部７１へ直接供給される。こうして、予め用意された９バンドのイコライザパラメータにより規定される周波数特性が得られる。なお、本実施例では、上記の合成器３５はイコライザバンド数変換処理において、イコライザ３２Ａ及び３２Ｂを利用して一時的に９バンドイコライザを構成するために使用されるものである。
【００８０】
次に、周波数特性制御部７１は、９バンドのイコライザにより処理された出力信号である合成信号Ｓ９を６バンドで分析し、各バンドのレベル、即ち分析レベル値を取得する（ステップＳ１０３）。こうして得られた分析レベル値は、例えばメインコントローラ７４内に一時的に保存される。この分析レベル値は、５バンドのイコライザパラメータを設定する際の目標値となる。
【００８１】
次に、上記の分析レベル値を目標値として、５バンドのイコライザパラメータを設定する（ステップＳ１０４）。この処理を図１２に示す。まず、周波数特性制御部７１は、イコライザ３２Ａに対して、イコライザパラメータ、即ちレベル制御値の初期値を設定する（ステップＳ１１１）。なお、ここでは、イコライザ３２Ａの６個のバンドのうち、１つのバンドは基準バンドであり、そのレベル制御値は０ｄＢとされる。
【００８２】
次に、測定用信号発生器１２からピンクノイズを発生してイコライザ３２Ａに供給し（ステップＳ１１２）、その出力を遅延回路３３Ａを通過させて周波数特性制御部７１へ入力する。そして、周波数特性制御部７１は、イコライザ３２Ａからの出力を６バンドで分析する（ステップＳ１１３）。そして、周波数特性制御部７１は、その６バンドの分析結果と、予めメインコントローラ７４に記憶していた分析レベル値（目標値）とを用いて、５バンドのイコライザパラメータを設定する（ステップＳ１１４）。このとき、周波数特性制御部７１は前述のように６バンドのうち、もっともレベルが０ｄＢに近いバンドを基準バンドとし、そのイコライザパラメータを０ｄＢにするとともに、他の５つのバンドのイコライザパラメータを基準バンドのレベルとの相対レベルに基づいて決定する。
【００８３】
こうして決定された５バンドのイコライザパラメータはイコライザ３２Ａに設定され、ステップＳ１１１〜Ｓ１１４の処理が再度行われる（ステップＳ１１５）。そして、ステップＳ１１１〜Ｓ１１４の処理を所定回数Ｙ回繰り返し（ステップＳ１１５；Ｙｅｓ）、得られた５バンドのイコライザパラメータをバンド数変換後のイコライザパラメータとして出力する（ステップＳ１１６）。
【００８４】
図１１へ戻り、次に、全帯域レベル調整パラメータの決定処理が行われる。全帯域レベル調整パラメータの決定処理のフローチャートを図１３に示す。この処理は、主として図８に示す制御部２２内のメインコントローラ７４により実行される。
【００８５】
まず、メインコントローラ７４は、周波数特性制御部７１を制御してイコライザ３２Ａ〜３２Ｆのイコライザ特性をフラットとし、測定用信号発生器１２から基準ノイズを生成して各イコライザに入力する。そして、信号処理ユニット１１内でイコライザ３２Ａ〜３２Ｆから出力される基準ノイズのパワーＰＡを測定する（ステップＳ１５１）。具体的には、メインコントローラ７４は、イコライザ３２の出力信号に基づいてパワーＰＡを測定する。即ち、イコライザ３２から出力される基準ノイズは後段のＤ／Ａ変換器１３、可変増幅器１４、スピーカ４などには送られず、制御部２２へ直接供給される。なお、パワーＰＡは固定値となる。
【００８６】
次に、メインコントローラ７４は、前述のようにイコライザ３２Ａ及び３２Ｂを利用して、予め用意された９バンドのイコライザパラメータを９バンドのイコライザに設定し、同様に測定用信号発生器１２から基準ノイズを供給する。そして、９バンドのイコライザから出力される基準ノイズのパワーＰＢを測定する（ステップＳ１５２）。
【００８７】
次に、メインコントローラ７４は、イコライザ特性をフラットとしたときのパワーＰＡと、９バンドのイコライザパラメータを設定したときのパワーＰＢの差を計算することにより、図５に示す９バンドのイコライザレベル変動量ＰＣを算出する（ステップＳ１５３）。
【００８８】
次に、メインコントローラ７４は、９バンドのイコライザパラメータが設定されているときの実際の全帯域レベルＰＥから、９バンドのイコライザレベル変動量ＰＣを減算することにより、図５に示すようにユーザ調整量ＰＦを算出する（ステップＳ１５４）。なお、９バンドのイコライザパラメータが設定されているときの全帯域レベルＰＥは、ユーザが調整した後の全帯域レベルを記憶しておいたものである。
【００８９】
次に、メインコントローラ７４は、バンド数変換後の５バンドのイコライザパラメータをイコライザ３２Ａなどに設定し、測定用信号発生器１２から基準ノイズを与えて５バンドのイコライザパラメータを設定した場合の基準ノイズのパワーＰｄを求める（ステップＳ１５５）。そして、パワーＰｄと、ステップＳ１５１で得られたパワーＰＡとの差を計算することにより、５バンドのイコライザレベル変動量ＰＤを算出する（ステップＳ１５６）。
【００９０】
次に、図５に示すように、メインコントローラ７４は、ステップＳ１５４で得られたユーザ調整量ＰＦと、ステップＳ１５６で得られた５バンドのイコライザレベル変動量ＰＤを過加算して、５バンドの全帯域レベルＰＧを決定し、対応する全帯域レベル調整パラメータを決定する（ステップＳ１５７）。こうして得られた全帯域レベル調整パラメータは、図５に示すように、９バンドのイコライザ使用時にユーザが設定したユーザ調整量を含んでいる。よって、イコライザのバンド数の変換後も、ユーザの調整分を含んだ全帯域レベルが決定されることになる。
【００９１】
全帯域レベル調整パラメータ設定処理が終了すると、イコライザバンド数変換処理が完了する。こうして決定された全帯域レベル調整パラメータは、例えば増幅制御部７３を通じて図６に示す可変増幅器１４Ａ〜１４Ｆに設定される。
【００９２】
なお、上記の実施例では、メインコントローラ７４が、本発明におけるイコライザパラメータ変換手段、ユーザ調整量算出手段、変換前及び変換後イコライザレベル変動量算出手段、及び、全帯域レベル調整パラメータ変換手段として機能する。
【００９３】
［変形例］
上記の実施例では、９バンドのイコライザパラメータの周波数特性を得る際に、イコライザ３２Ａ及び３２Ｂを利用しているが、その代わりに、信号処理ユニット内に、イコライザ３２Ａ〜３２Ｆとは別個に９バンドのイコライザを設けることとしてもよい。
【００９４】
また、上記のイコライザバンド数変換処理を、所定の条件下でのみ実行することとしてもよい。具体的には、Ａ個（Ａは２以上の整数）のバンドのイコライザパラメータを、Ｂ個（Ｂは２以上の整数）のバンドに変換する場合、Ａ個のバンドのイコライザパラメータのうちの（Ａ−Ｂ）個以上のパラメータが０ｄＢである場合には、上記のイコライザバンド数変換処理は行なわず、０ｄＢ以外のパラメータをそのままＢバンドのイコライザパラメータとして使用する。例えば、上記の例で、イコライザバンド数を９バンドから５バンドへ変換する場合、元の９バンドのイコライザパラメータのうち４個以上が０ｄＢであれば、それらを除いた残りの５個のイコライザパラメータをそのまま５バンドのイコライザパラメータとして使用すればよい。
【００９５】
また、上記の例では、変換後のバンド数が変換前のバンド数より減少する場合となっているが、逆に変換後のバンド数が変換前のバンド数より増加するように変換を行うこともできる。この場合も、変換前のバンド数のイコライザパラメータにより規定される周波数特性を目標として、変換後のバンド数のイコライザパラメータを設定する処理を実行すればよい。
【図面の簡単な説明】
【００９６】
【図１】イコライザのバンド数変換の前後のイコライザ特性及び周波数特性を示す。
【図２】イコライザのバンド数変換の方法を概略的に示すブロック図である。
【図３】基準バンドを用いたバンド数削減方法を示す図である。
【図４】全帯域レベルの詳細を示す図である。
【図５】全帯域レベル調整パラメータの変換方法を模式的に示す。
【図６】実施例によるマルチチャンネルオーディオシステムの構成を示すブロック図である。
【図７】マルチチャンネルオーディオシステムのスピーカ及びマイクの配置例を示す。
【図８】図６に示す信号処理ユニットの構成を示すブロック図である。
【図９】図８に示すイコライザの構成を示すブロック図である。
【図１０】図８に示す周波数特性制御部の構成を示すブロック図である。
【図１１】イコライザバンド数変換処理のフローチャートである。
【図１２】５バンドのイコライザパラメータ設定処理のフローチャートである。
【図１３】全帯域レベル調整パラメータ設定処理のフローチャートである。
【符号の説明】
【００９７】
３  アンプ装置
１１  信号処理ユニット
４１〜４６  バンドパスフィルタ
５１〜５６  レベル設定部
３２  イコライザ
３３  遅延回路
７１  周波数特性制御部
【図１】
2008227606.tif 000003
【図２】
2008227606.tif 000004
【図３】
2008227606.tif 000005
【図４】
2008227606.tif 000006
【図５】
2008227606.tif 000007
【図６】
2008227606.tif 000008
【図７】
2008227606.tif 000009
【図８】
2008227606.tif 000010
【図９】
2008227606.tif 000011
【図１０】
2008227606.tif 000012
【図１１】
2008227606.tif 000013
【図１２】
2008227606.tif 000014
【図１３】
2008227606.tif 000015